(57)【要約】【課題】映像表示装置およびマルチ画面表示装置において、消費電力の低減を可能とする技術を提供することを目的とする。【解決手段】映像表示装置１００は、各ＬＥＤ２１，２３，２５を発光駆動する光源駆動回路２０，２２，２４と、消費電力を低減するための省電力モード時に、映像信号が所定の閾値Ｄｔｈ以下になるようにクリッピング処理を行うクリップ処理部８と、クリップ処理部８によりクリッピング処理がなされた映像信号の信号レベルを増幅する信号処理部７と、信号処理部７により増幅された映像信号の信号レベルの増幅分に対応する各ＬＥＤ２１，２３，２５の輝度の増加分を打ち消すように、光源駆動回路２０，２２，２４から供給される各ＬＥＤ２１，２３，２５の駆動電流値を制御する制御部２とを備えている。【選択図】図１
2014021287.tif 000002
【特許請求の範囲】
【請求項１】
所定の各色のＬＥＤ光源から出射された光を映像信号に基づいて強度変調しスクリーン上に投射する映像表示装置であって、
各前記ＬＥＤ光源を発光駆動する光源駆動手段と、
消費電力を低減するための省電力モード時に、前記映像信号が所定の閾値以下になるようにクリッピング処理を行うクリッピング手段と、
前記クリッピング手段によりクリッピング処理がなされた前記映像信号の信号レベルを増幅する増幅手段と、
前記増幅手段により増幅された前記映像信号の信号レベルの増幅分に対応する各前記ＬＥＤ光源の輝度の増加分を打ち消すように、前記光源駆動手段から供給される各前記ＬＥＤ光源の駆動電流値を制御する制御手段と、
を備えた、映像表示装置。
【請求項２】
ｎ画面（ｎは１以上の整数）分の前記映像信号の中から最大信号レベルを検出する検出手段をさらに備え、
前記所定の閾値は、前記検出手段により検出された前記最大信号レベルよりも小さい数値に設定される、請求項１記載の映像表示装置。
【請求項３】
前記所定の閾値は、ｍ画面（ｍは１以上の整数）分の前記映像信号において、前記クリッピング手段によりクリッピング処理がなされた前記映像信号の個数が所定以下となる数値に設定される、請求項１または請求項２記載の映像表示装置。
【請求項４】
前記クリッピング手段によりクリッピング処理がなされた前記映像信号の個数が所定以上となった場合に前記省電力モードから通常モードに変更される、請求項１〜３のいずれか１つに記載の映像表示装置。
【請求項５】
請求項１〜４のいずれか１つに記載の映像表示装置を複数組み合わせて構成されたマルチ画面表示装置であって、
複数の前記映像表示装置は、１つのマスター装置とそれ以外のスレーブ装置とを含み、
前記省電力モード時に、前記スレーブ装置は、前記所定の閾値を前記マスター装置に対して送信し、
前記マスター装置は、前記スレーブ装置から送信された前記所定の閾値の中から最大の閾値を抽出し各前記スレーブ装置に対して送信する、マルチ画面表示装置。
【発明の詳細な説明】
【技術分野】
【０００１】
本発明は、映像表示装置と、映像表示装置を複数組み合わせて構成されたマルチ画面表示装置に関し、特に消費電力の低減に関するものである。
【背景技術】
【０００２】
大型映像を表示する表示装置として、複数の投射型映像表示装置の画面を配列してなるマルチ画面表示装置が知られている。従来、投射型映像表示装置における光源としては放電ランプが広く使用されてきたが、技術の進歩により、発光ダイオード（ＬＥＤ：Ｌｉｇｈｔ  Ｅｍｉｔｔｉｎｇ  Ｄｉｏｄｅ）の出力輝度が投射型映像表示装置の光源としての使用に耐えうるようになったことから、近年はＬＥＤが使用されている（例えば特許文献１参照）。
【先行技術文献】
【特許文献】
【０００３】
【特許文献１】特開２００５−２７４８８４号公報
【発明の概要】
【発明が解決しようとする課題】
【０００４】
しかしながら、ＬＥＤ光源の出力輝度が投射型映像表示装置の光源として使用に耐えうるようになったことと引き換えに、その消費電力は放電ランプのそれと同等、またはそれ以上となってきている。これと同様に、ＬＥＤ光源を使用した投射型映像表示装置を複数組み合わせたマルチ画面表示装置においても、その消費電力の増加が問題となっている。
【０００５】
また、マルチ画面表示装置においては、主として道路、交通、プラント等の監視ルームに使用される事例が多く、これらの事例では時間帯や表示内容によっては、常時表示する必要のない部分が存在する可能性がある。そのため、消費電力を削減する方法として、マルチ画面表示装置を構成する投射型映像表示装置の一部の電源をＯＦＦする方法が提案されているが、この方法では必要となった時に瞬時に映像を表示することができず、オペレータの業務に支障をきたす恐れがあった。
【０００６】
そこで、本発明は、映像表示装置およびマルチ画面表示装置において、消費電力の低減を可能とする技術を提供することを目的とする。
【課題を解決するための手段】
【０００７】
本発明に係る映像表示装置は、所定の各色のＬＥＤ光源から出射された光を映像信号に基づいて強度変調しスクリーン上に投射する映像表示装置であって、各前記ＬＥＤ光源を発光駆動する光源駆動手段と、消費電力を低減するための省電力モード時に、前記映像信号が所定の閾値以下になるようにクリッピング処理を行うクリッピング手段と、前記クリッピング手段によりクリッピング処理がなされた前記映像信号の信号レベルを増幅する増幅手段と、前記増幅手段により増幅された前記映像信号の信号レベルの増幅分に対応する各前記ＬＥＤ光源の輝度の増加分を打ち消すように、前記光源駆動手段から供給される各前記ＬＥＤ光源の駆動電流値を制御する制御手段とを備えたものである。
【０００８】
また、本発明に係るマルチ画面表示装置は、映像表示装置を複数組み合わせて構成されたマルチ画面表示装置であって、複数の前記映像表示装置は、１つのマスター装置とそれ以外のスレーブ装置とを含み、前記省電力モード時に、前記スレーブ装置は、前記所定の閾値を前記マスター装置に対して送信し、前記マスター装置は、前記スレーブ装置から送信された前記所定の閾値の中から最大の閾値を抽出し各前記スレーブ装置に対して送信するものである。
【発明の効果】
【０００９】
本発明の映像表示装置によれば、省電力モード時に、クリッピング手段は、映像信号が所定の閾値以下になるようにクリッピング処理を行い、増幅手段は、クリッピング手段によりクリッピング処理がなされた映像信号の信号レベルを増幅し、制御手段は、増幅手段により増幅された映像信号の信号レベルの増幅分に対応する各ＬＥＤ光源の輝度の増加分を打ち消すように、光源駆動手段から供給される各ＬＥＤ光源の駆動電流値を制御する。
【００１０】
このように、クリッピング処理がなされた映像信号の信号レベル分だけ各ＬＥＤ光源の輝度を増加させ、各ＬＥＤ光源の輝度の増加分だけ、各ＬＥＤ光源の駆動電流を低減することができるため、ＬＥＤ光源の見かけ上の輝度を低下させることなく消費電力の低減が可能となる。
【００１１】
また、本発明のマルチ画面表示装置によれば、省電力モード時に、スレーブ装置は、所定の閾値をマスター装置に対して送信し、マスター装置は、スレーブ装置から送信された所定の閾値の中から最大の閾値を抽出し各スレーブ装置に対して送信するため、各映像表示装置において同一の閾値を用いることで同一の省電力処理を行うことができる。これにより、マルチ画面表示装置において中間階調がずれることなく消費電力の低減が可能となる。
【図面の簡単な説明】
【００１２】
【図１】実施の形態１に係る映像表示装置の概略構成図である。
【図２】光源回路の概略構成図である。
【図３】映像信号のクリッピング処理の一例を示す図である。
【図４】ＬＥＤ駆動電流値−出力輝度値特性の一例を示す図である。
【図５】実施の形態２に係るマルチ画面表示装置の概略構成図である。
【発明を実施するための形態】
【００１３】
＜実施の形態１＞
本発明の実施の形態１について、図面を用いて以下に説明する。図１は、本発明の実施の形態１に係る映像表示装置１００の概略構成図である。映像表示装置１００は、送受信部１と、制御部２（制御手段）と、光源回路３と、ライトバルブ４と、投射レンズ５と、スクリーン６と、信号処理部７（増幅手段）と、クリップ処理部８（クリッピング手段）と、画像入力部９（検出手段）と、メモリ１０とを備えている。
【００１４】
光源回路３は、例えばＬＥＤを光源としており、光源回路３の光出力はライトバルブ４に入力される。一方、映像信号が外部から画像入力部９に入力され、画像入力部９は映像信号の拡大・縮小等の信号処理を行い、信号処理後の映像信号をクリップ処理部８へ出力する。クリップ処理部８は、通常モード時においては映像信号をそのまま信号処理部７へ出力し、一方、省電力モード時においては、映像信号の入力信号レベルが所定の閾値Ｄｔｈ以上の映像信号に対してＤｔｈにクリッピング処理を行い、クリッピング処理後の映像信号を信号処理部７へ出力する。
【００１５】
信号処理部７は、映像信号の信号レベルの変換（増幅）を行い、ライトバルブ４を駆動するためのドライブ信号に変換しライトバルブ４へ出力する。ライトバルブ４は、光源回路３から出力される光を強度変調しドライブ信号のタイミングで投射レンズ５へ出力することで、映像がスクリーン６に投射される。
【００１６】
送受信部１は、例えば外部ＰＣおよび他の映像表示装置と接続され、外部ＰＣおよび他の映像表示装置からの指令を制御部２に受け渡す。制御部２は、外部ＰＣおよび他の映像表示装置からの指令を受けて、通常モードと、消費電力を低減するための省電力モードとに切り替えて各部を制御する。なお、通常モードと省電力モードにおける各部の動作については後述することとする。
【００１７】
次に、光源回路３の詳細と、各モードにおける制御部２の動作について図２を用いて説明する。図２は、光源回路３の概略構成図である。光源回路３は、赤色（Ｒ）光を発するＲ光源用ＬＥＤ２１と、Ｒ光源用駆動回路２０と、緑色（Ｇ）光を発するＧ光源用ＬＥＤ２３と、Ｇ光源用駆動回路２２と、青色（Ｂ）光を発するＢ光源用ＬＥＤ２５と、Ｂ光源用駆動回路２４とを備えている。Ｒ光源用ＬＥＤ２１は、Ｒ光源用駆動回路２０からパルス駆動で駆動電流値が制御されて点灯動作する。これと同様に、Ｇ光源用ＬＥＤ２３はＧ光源用駆動回路２２からパルス駆動で駆動電流値が制御されて点灯動作し、Ｂ光源用ＬＥＤ２５はＢ光源用駆動回路２４からパルス駆動で駆動電流値が制御されて点灯動作する。なお、Ｒ，Ｇ，Ｂ光源用ＬＥＤ２１，２３，２５がＬＥＤ光源に相当し、Ｒ，Ｇ，Ｂ光源用駆動回路２０，２２，２４が光源駆動手段に相当する。
【００１８】
メモリ１０には予め生産工程にてＲ，Ｇ，Ｂ光源用ＬＥＤ２１，２３，２５の駆動電流値に対する出力輝度値を測定するなどして得られた、ＬＥＤ駆動電流値―出力輝度値特性を示す情報（図４参照）が記憶されている。制御部２は、メモリ１０に記憶されているＬＥＤ駆動電流値―出力輝度値特性を示す情報に基づいて、Ｒ，Ｇ，Ｂ光源用駆動回路２０，２２，２４から供給されるＲ，Ｇ，Ｂ光源用ＬＥＤ２１，２３，２５の駆動電流値を制御することで、Ｒ，Ｇ，Ｂ光源用ＬＥＤ２１，２３，２５の輝度調整を行う。
【００１９】
次に、具体的な制御例について図３および図４を用いて説明する。図３は、映像信号のクリッピング処理の一例を示す図であり、図４（ａ）は、Ｒ光源用ＬＥＤ２１のＬＥＤ駆動電流値−出力輝度値特性の一例を示す図であり、図４（ｂ）は、Ｇ光源用ＬＥＤ２３のＬＥＤ駆動電流値−出力輝度値特性の一例を示す図であり、図４（ｃ）は、Ｂ光源用ＬＥＤ２５のＬＥＤ駆動電流値−出力輝度値特性の一例を示す図である。
【００２０】
一般に、監視システムおよびデジタルサイネージシステムに入力される映像は変化のない映像であることが多い。このため、入力される映像信号の最大信号レベルは直前に入力された数フレーム（画面）分の入力映像信号の最大信号レベル（ダイナミックレンジ）を検出するとＤｍａｘにほぼ等しくなることが多い。したがって、画像入力部９は、入力される映像信号の最大信号レベルをｎフレーム（ｎは１以上の整数）単位で検出し、制御部２の要求により検出したＤｍａｘを制御部２に出力する。
【００２１】
制御部２はＤｔｈを
Ｄｔｈ≦Ｄｍａｘ
の範囲で決定しクリップ処理部８に出力する。例えば入力される映像信号が８ビットの場合、映像信号の１０フレーム分のＲ，Ｇ，Ｂ映像信号の最大信号レベルが２２０の場合は
Ｄｔｈ＝２００＜２２０
とすればよい。
【００２２】
クリップ処理部８は、画像入力部９から出力される映像信号の信号レベルをＲ，Ｇ，Ｂの画素単位でＤｔｈと比較し、Ｄｔｈを超えるデータの個数Ｓｄｈをｍフレーム（ｍは１以上の整数）単位で検出し、検出結果を制御部２に送信する。
【００２３】
制御部２は、クリップ処理部８から出力されるＳｄｈが所定以下になるようにＤｔｈを調整する。この場合、制御部２はＤｔｈの最大はＤｍａｘ以下になるように調整を行う。例えば、制御部２は１０フレーム分の画像データに対して
Ｓｄｈ≦３０  かつ  Ｄｔｈ≦Ｄｍａｘ＝２２０
となるように閾値Ｄｔｈを調整して設定する。
【００２４】
クリップ処理部８は、省電力モード時においては画像入力部９から出力される映像信号が制御部２によって設定されたＤｔｈ以下となるようにクリッピング処理を行う。すなわち、図３に示すように、入力映像がＲ，Ｇ，Ｂ各８ｂｉｔの映像信号の場合は入力Ｄｉｎが０〜２５５まで変化するのに対して、クリップ処理部８の出力は０〜Ｄｔｈまで変化する。
【００２５】
図３の例では０＜Ｄｉｎ＜Ｄｉｎ１までは出力Ｄｏｕｔ＝Ｄｉｎとなり、Ｄｉｎ＞Ｄｉｎ１ではＤｏｕｔ＝Ｄｔｈとなるようにクリッピング処理が行われる。一方、通常モード時においては、クリップ処理部８はクリッピング処理を行なわずに常にＤｏｕｔ＝Ｄｉｎとなるように信号処理を行う。
【００２６】
また、制御部２は、通常モード時においては光源回路３に設定されているＲ，Ｇ，Ｂ光源用駆動回路２０，２２，２４が出力する駆動電流値ＩＲ０，ＩＧ０，ＩＢ０を記憶する。図４に示すように、駆動電流値ＩＲ０，ＩＧ０，ＩＢ０に対するＲ，Ｇ、Ｂの輝度値はそれぞれＹＲ０，ＹＧ０，ＹＢ０となる。
【００２７】
制御部２は、省電力モード時においては図４に示すＬＥＤ駆動電流値―出力輝度値特性を示す情報から
ＹＲ１＝ＹＲ０＊Ｄｔｈ／ＤＬ
ＹＧ１＝ＹＧ０＊Ｄｔｈ／ＤＬ
ＹＢ１＝ＹＢ０＊Ｄｔｈ／ＤＬ
となる駆動電流値ＩＲ１、ＩＧ１，ＩＢ１を算出し、それぞれＲ光源用駆動回路２０、Ｇ光源用駆動回路２２、Ｂ光源用駆動回路２４に対して算出した電流値を設定する。すなわち、省電力モード時の最大輝度は通常モード時のＤｔｈ／ＤＬ倍になる。ここで、ＤＬは映像信号のダイナミックレンジであり、Ｒ，Ｇ，Ｂの映像信号が８ビット入力の場合はＤＬ＝２５５となる。
【００２８】
信号処理部７は、通常モード時においてはクリップ処理部８から出力された映像信号の信号レベル変換を行わずに、ライトバルブ４に映像信号を駆動するためのドライブ信号への変換のみを行ってから出力する。信号処理部７は、省電力モード時においてはクリップ処理部８にてＤｔｈにクリッピング処理が行われた映像信号をＤＬ／Ｄｔｈ倍した後、ライトバルブ４に映像信号を駆動するためのドライブ信号に変換して出力する。すなわち、以下のような信号レベル変換が行われる。
【００２９】
ＤＲｏｕｔ＝ＤＲｉｎ＊ＤＬ／Ｄｔｈ＝ＤＲｉｎ＊２５５／Ｄｔｈ
ＤＧｏｕｔ＝ＤＧｉｎ＊ＤＬ／Ｄｔｈ＝ＤＧｉｎ＊２５５／Ｄｔｈ
ＤＢｏｕｔ＝ＤＢｉｎ＊ＤＬ／Ｄｔｈ＝ＤＢｉｎ＊２５５／Ｄｔｈ
ここで、ＤＲｏｕｔ，ＤＧｏｕｔ，ＤＢｏｕｔは、信号処理部７から出力されるＲ，Ｇ，Ｂの映像信号であり、ＤＲｉｎ，ＤＧｉｎ，ＤＢｉｎは、信号処理部７に入力されるＲ，Ｇ，Ｂの映像信号である。
【００３０】
例えば、クリップ処理部８から８ビットのＲ，Ｇ，Ｂ映像信号ＤＲｉｎ, ＤＧｉｎ, ＤＢｉｎが信号処理部７に出力される場合はＤＬ＝２５５であり、かつ、Ｄｔｈ＝２００の場合は、
ＤＲｏｕｔ＝ＤＲｉｎ＊２５５／２００
ＤＧｏｕｔ＝ＤＧｉｎ＊２５５／２００
ＤＢｏｕｔ＝ＤＢｉｎ＊２５５／２００
ＹＲ１＝ＹＲ０＊２００／２５５
ＹＧ１＝ＹＧ０＊２００／２５５
ＹＢ１＝ＹＢ０＊２００／２５５
となる。
【００３１】
ここで、通常モード時のＲ，Ｇ，Ｂの信号レベルの最大値はほぼＤｔｈに等しい（Ｄｔｈ＋α）ためライトバルブ４から実際に出力される出力輝度は最大輝度に対して（２００／２５５）＋α＝７８．４＋α％程度となる。一方、省電力モード時では制御部２は電流値を上記ＩＲ１，ＩＧ１，ＩＢ１に設定するためライトバルブ４から出力される最大輝度は通常モード時の２００／２５５＝７８．４％であるが、信号処理部７は、クリップ処理部８によりクリッピング処理がなされた映像信号を２５５／２００倍に増幅する信号レベル変換を行うため、（２００／２５５）＊（２５５／２００）＝１で相殺され、通常モード時にライトバルブ４から出力される出力輝度の最大値と等しくなる。
【００３２】
すなわち、省電力モード時に駆動電流をＩＲ１，ＩＧ１，ＩＢ１に減少させることで生じるＬＥＤ２１，２３，２５における輝度の低下分を信号処理部７にてダイナミックレンジをＲ，Ｇ，Ｂ単位で補正することにより、通常モード時に対して省電力モード時の映像表示装置１００の輝度を低下させることなく、ＬＥＤ２１，２３，２５に供給される駆動電流を低減することが可能となり消費電力の低減を実現できる。
【００３３】
さらに、クリップ処理部８は、上記のように映像信号のｎフレーム分のダイナミックレンジＤｍａｘよりも小さい閾値Ｄｔｈにてクリッピング処理を行う。すなわち、クリップ処理部８は、映像内に数箇所しかない輝度が突出している画素に対してクリッピング処理を行うため、省電力モード時のダイナミックレンジを画質が劣化しない程度に下げることでＬＥＤ２１，２３，２５の駆動電流をさらに低減することができる。
【００３４】
例えば、映像信号においてＤｍａｘ＝２４０であるが、映像信号の大きさが２４０の画素が非常に少なくそれ以外の画素は２００以下である場合、Ｄｔｈ＝２００以上の画素を２００にクリッピング処理を行っても目立たないことから、Ｄｍａｘを基準にして省電力処理をした場合よりも多くの駆動電流を低減することが可能となる。
【００３５】
以上のように、本実施の形態１に係る映像表示装置１００では、省電力モード時に、クリップ処理部８は、映像信号が所定の閾値Ｄｔｈ以下になるようにクリッピング処理を行い、信号処理部７は、クリップ処理部８によりクリッピング処理がなされた映像信号の信号レベルを増幅し、制御部２は、信号処理部７により増幅された映像信号の信号レベルの増幅分に対応する各ＬＥＤ２１，２３，２５の輝度の増加分を打ち消すように、光源用駆動回路２０，２２，２４から供給される各ＬＥＤ２１，２３，２５の駆動電流値を制御する。
【００３６】
このように、クリッピング処理がなされた映像信号の信号レベル分だけ各ＬＥＤ２１，２３，２５の輝度を増加させ、各ＬＥＤ２１，２３，２５の輝度の増加分だけ、各ＬＥＤ２１，２３，２５の駆動電流を低減することができるため、ＬＥＤ２１，２３，２５の見かけ上の輝度を低下させることなく消費電力の低減が可能となる。換言すると、映像表示装置１００においてエネルギー消費量を削減することができる。
【００３７】
また、ｎ画面（ｎは１以上の整数）分の映像信号の中から最大信号レベルを検出する画像入力部９をさらに備え、所定の閾値Ｄｔｈは、画像入力部９により検出された最大信号レベルよりも小さい数値に設定されるため、現在入力されている映像信号に最適なクリッピング処理の閾値を設定することができる。
【００３８】
また、所定の閾値Ｄｔｈは、ｍ画面（ｍは１以上の整数）分の映像信号において、クリップ処理部８によりクリッピング処理がなされた映像信号の個数が所定以下となる数値に設定されるため、映像内に輝度が突出している箇所が数箇所しかないような画素に対してクリッピング処理を行うことができ、画素劣化が目立たないようにして省電力モード時の駆動電流値を低減することができる。
【００３９】
なお、本実施の形態では一旦省電力モード時に検出対象となっている入力映像に大きな変化が発生した場合は、手動で通常モードに切り替える必要があった。しかし、省電力モード時においてクリップ処理部８が検出しているＤｔｈを超える入力データの個数Ｓｄｈを制御部２が検出し、Ｓｄｈが所定以上となった場合は、入力される映像信号に大きな変化があったと判断し省電力モードを解除して通常モードに自動的に移行（変更）するように制御を行ってもよい。
【００４０】
この場合、クリップ処理部８によりクリッピング処理がなされた映像信号の個数が所定以上となった場合に省電力モードから通常モードに変更されるため、入力される映像の輝度が大きく変化した場合に自動で省電力モードから通常モードに移行させることができる。
【００４１】
また、本実施の形態では制御部２は、Ｄｔｈを超える入力データの個数Ｓｄｈが所定以下になるようにＤｔｈの調整を行うこととしたが、必ずしもＳｄｈが所定以下に収束する数値をＤｔｈとして設定する必要はなく、予め決められた固定値あるいは単にＤｍａｘ以下の数値をＤｔｈとして設定してもよい。
【００４２】
さらに、本実施の形態ではクリップ処理部８において、Ｒ，Ｇ，Ｂの映像信号に対して同一のＤｔｈを使用して映像信号のクリッピング処理を行うこととしたが、必ずしも同一のＤｔｈを用いる必要はない。例えば、Ｒ，Ｇ，Ｂの映像信号に対してそれぞれ異なる閾値を設定し、信号処理部７は、Ｒ，Ｇ，Ｂの映像信号に対してそれぞれ異なる閾値に基づいて映像信号の信号レベル変換と、ＬＥＤ２１，２３，２５に対する駆動電流制御を行ってもよい。
【００４３】
＜実施の形態２＞
次に、実施の形態２に係るマルチ画面表示装置１２０について説明する。図５は、マルチ画面表示装置１２０の概略構成図である。なお、実施の形態２において、実施の形態１で説明したものと同様構成要素については同一符号を付して説明は省略する。マルチ画面表示装置１２０は、複数の映像表示装置１００を組み合わせてより大きな表示画面（大画面）を構成したものである。マルチ画面表示装置１２０は、例えば映像表示装置１００を３段×３列配列して構成されている。
【００４４】
映像表示装置１００は、マスター映像表示装置１０１と、それ以外のスレーブ映像表示装置１０２〜１０９とを含む。マスター映像表示装置１０１とスレーブ映像表示装置１０２〜１０９は概して同じ構成を有する。以下の説明では、マスター映像表示装置１０１、スレーブ映像表示装置１０２〜１０９を「マスター装置１０１」、「スレーブ装置１０２〜１０９」と称する。マスター装置１０１とスレーブ装置１０２〜１０９は図５の矢印で示すように互いに通信ケーブルにて双方向に接続されている。
【００４５】
マスター装置１０１とスレーブ装置１０２〜１０９は、それぞれが独自に映像表示装置１００としての機能を発揮することにより、マルチ画面表示装置１２０全体の消費電力を最小化することが可能となる。すなわち、マスター装置１０１および各々のスレーブ装置１０２〜１０９は、実施の形態１と同様の手順にて、それぞれの画像入力部９に入力される映像信号に対して、最適な所定の閾値Ｄｔｈ＿ｎ（ｎは１〜９）を算出する。
【００４６】
各々のスレーブ装置１０２〜１０９は、マスター装置１０１に対し閾値Ｄｔｈ＿ｎを送信する。マスター装置１０１は、マルチ画面表示装置１２０を構成するすべての映像表示装置１０１〜１０９の閾値Ｄｔｈ＿ｎを把握し、閾値Ｄｔｈ＿ｎの中から最も大きな閾値Ｍａｘ＿Ｄｔｈを抽出し、マルチ画面表示装置１２０全体で使用される所定の閾値としてＭａｘ＿Ｄｔｈを各スレーブ装置１０２〜１０９へ送信する。
【００４７】
各映像表示装置１０１〜１０９は閾値Ｍａｘ＿Ｄｔｈを使用して、クリップ処理部８にて閾値Ｍａｘ＿Ｄｔｈ以上の映像信号をＭａｘ＿Ｄｔｈにクリッピング処理を行った後、信号処理部７にて信号レベル変換を行うと同時にＬＥＤ駆動電流値の制御を実施する。
【００４８】
以上のように、実施の形態２に係るマルチ画面表示装置１２０では、省電力モード時に、スレーブ装置１０２〜１０９は、所定の閾値Ｄｔｈ＿ｎをマスター装置１０１に対して送信し、マスター装置１０１は、スレーブ装置１０２〜１０９から送信された所定の閾値Ｄｔｈ＿ｎの中から最大の閾値Ｍａｘ＿Ｄｔｈを抽出し、各スレーブ装置１０２〜１０９に対して送信する。そして、各映像表示装置１０１〜１０９は、同一の閾値Ｍａｘ＿Ｄｔｈを使用して映像信号レベルの信号レベル変換とＬＥＤ駆動電流値制御を行う。
【００４９】
この場合、各映像表示装置１０１〜１０９内において信号レベル変換の補正係数が同一になるため、各映像表示装置１０１〜１０９において同一の省電力処理を行うことができる。これにより、マルチ画面表示装置１２０において中間階調がずれることがなく、マルチ画面全体の輝度を均一に保つことで画質を劣化させることもなく、装置全体の消費電力最適化を実現できる。
【００５０】
なお、本発明は、その発明の範囲内において、各実施の形態を自由に組み合わせたり、各実施の形態を適宜、変形、省略することが可能である。
【符号の説明】
【００５１】
２  制御部、６  スクリーン、７  信号処理部、８  クリップ処理部、９  画像入力部、２０  Ｒ光源用駆動回路、２１  Ｒ光源用ＬＥＤ、２２  Ｇ光源用駆動回路、２３  Ｇ光源用ＬＥＤ、２４  Ｂ光源用駆動回路、２５  Ｂ光源用ＬＥＤ、１００  映像表示装置、１０１  マスター装置、１０２〜１０９  スレーブ装置、１２０  マルチ画面表示装置。
【図１】
2014021287.tif 000003
【図２】
2014021287.tif 000004
【図３】
2014021287.tif 000005
【図４】
2014021287.tif 000006
【図５】
2014021287.tif 000007